(57)【要約】【課題】  本発明は、ネジや釘などを用いず、また棚板などに孔を開けたり傷つけたりすることなく、棚板を簡単に固定し取付け、取外しできる楔を用いた棚構造とそのための楔を提供することを課題とする。【解決手段】  楔は、テーパー面の反対側の作用面は、楔を押し込む方向と平行で、テーパー面と作用面を結ぶ互いに平行な２側面と直角の平面である。楔を押し込む方向と直角な面の断面形状の内、テーパー面の形状は、作用面の直線形状に対して凹凸になっている。その凹凸の形状は、テーパー面のどの位置の断面であっても同一形状である。  楔を作用させる楔ベースは、ベース凸面とベース凹面が平行であり、楔の側面がベース凹面と接するように楔を嵌め入れることができるスペースと、楔で支える棚板を入れるスペースがあるベース凹部があり、ベース凸面とベース凹面とを結ぶ壁面に、該楔のテーパー面に合う形に形成されたテーパー面を持つ。【選択図】図１
2019146714.tif 000002
【特許請求の範囲】
【請求項１】
テーパー面の反対側の押し付ける力を発揮する作用面は、楔を押し進める方向と平行な平面で、テーパー面と作用面を結ぶ２側面は互いに平行である楔であって、
楔を押し込む方向と直角な方向の断面形状の、テーパー面の形状が、作用面の形状に対して凹凸になっており、その凹凸がテーパーの断面の位置にかかわらず、同一形状である楔と、
ベース凸面とベース凹面が平行であり、楔の片方の側面がベース凹面と接するように楔を嵌め入れることができるスペースと棚板を入れるスペースがあるベース凹部であって、ベース凸面とベース凹面とを結ぶ壁面に、該楔のテーパー面に合う形に形成されたテーパー面を持つ楔ベースと、
棚板が、
組み合わさり、楔で棚板が固定される、楔構造。
【請求項２】
テーパー面の反対側の押し付ける力を発揮する作用面は、楔を押し進める方向と平行な平面で、テーパー面と作用面を結ぶ２側面は互いに平行である楔であって、
楔を押し込む方向と直角な方向の断面形状の、テーパー面の形状が、作用面の形状に対して凹凸になっており、その凹凸がテーパーの断面の位置にかかわらず、同一形状である楔。
【発明の詳細な説明】
【技術分野】
【０００１】
本発明は、棚板を楔で固定する楔の構造に関するものである。
【背景技術】
【０００２】
脚部や棚板を楔で固定している家具は多くあるが、脚部や棚板に楔を入れる孔があり、その孔に楔を嵌め入れる構造のものが多い。
楔の力を受ける楔のベースに溝が掘られ、楔を押し込む方向（以下「Ｍ方向」と言う）に直角な方向で、楔が力を発揮する作用方向（以下「Ｐ方向」と言う）とも直角な方向の１面が開かれている楔の構造は、階段の踏み板の固定に使われている。
【先行技術文献】
【特許文献】
【０００３】
【特許文献１】特開２００４-１４３８６６号公報
【特許文献２】特許第３３２０９５２号公報
【特許文献３】特許第３７６２９５６号公報
【発明の概要】
【発明が解決しようとする課題】
【０００４】
本発明は、ネジや釘などを用いず、また棚板などに孔を開けたり傷つけたりすることなく、棚板を簡単に取付け固定し、取外しできる、楔を用いた棚構造とそのための楔を提供することを課題とする。
【課題を解決するための手段】
【０００５】
本発明は、課題を解決するため、楔と楔の力を受け止める楔ベースと棚板からなる、楔構造を用いている。
楔は、斜めになったテーパー面の反対側のＰ方向の平面（以下「作用面」と言う）は、Ｍ方向と平行で、テーパー面と作用面を結ぶ互いに平行な２側面（以下「２側面」と言う）とも直角の平面である。Ｍ方向と直角な面である断面（以下単に「断面」と言う）の形状の内、テーパー面の形状は、作用面の直線形状に対して凹凸になっている。その凹凸の形状は、テーパー面のどの位置の断面であっても同一形状である。
【０００６】
楔のテーパー面の凹凸は、作用面の断面の直線形状に対して凹凸であればよく、楔の２側面のL方向の長さが異なり、Ｍ方向に直角な面で、作用面の断面の直線に対して傾いた直線、すなわち斜線となっていてもよい。
テーパー面の断面の形は、直線であっても、曲線であっても、段差のある形でもよい。
【０００７】
楔を作用させる楔ベースは、凹部が形成されている面（以下「ベース凸面」と言う）と、凹部の底面（以下「ベース凹面」と言う）が平行であり、楔の１側面がベース凹面と接するように楔を嵌め入れることができるスペースと、楔で固定する棚板を入れるスペースがあるベース凹部であって、ベース凸面とベース凹面とを結ぶ壁面に、該楔のテーパー面に合う形に形成されたテーパー面を持つ。
【０００８】
棚板は平らな板であればよく、楔を入れる孔などを設ける必要はない。
棚板を固定する場合、棚板と楔は、どちらが上に位置していても構わない。
上記楔と、楔ベースと、棚板が組み合わさる楔構造で、楔ベースに棚板が固定される。
【発明の効果】
【０００９】
本発明により、ネジや釘などを用いず、孔を開けたり傷つけたりすることなく、簡単に棚板を強く取付け固定し、取外しすることができ、簡単に組み立てられる棚を作ることができる。棚板は加工の必要がないので、棚板をガラスや金属などに変更する場合も、問題ない。
また楔で固定するため、棚板の厚みが多少変わっても、楔の押し込み量が変わるだけで、元と同じ強度を確保することができる。
【００１０】
楔および楔ベースのテーパー面の凹凸形状により、Ｍ方向に沿って、楔ベースに楔がしっかり納まり、確実な固定ができる。また、棚の裏面などで楔を目視できない場合も、手探りで楔を正しく嵌め入れることができる。
特に、２側面の内、楔ベース凸面に位置する側の楔の長さＬを短くした楔と、それと対応する楔ベースの場合は、楔が自然と楔ベース側に寄るので、より安定した固定ができる。
【００１１】
本発明は、釘など金物を使わず、鳥居や日本に古くからある家屋にもよく使われる楔を使い、組立、分解、棚の取り付け方などが自在であるため、日本文化を取り入れた棚としての趣あるものとなる。
【図面の簡単な説明】
【００１２】
【図１】請求項１に示す楔の構造の斜視図
【図２】請求項１に示す楔の構造の側面図
【図３】請求項２に示す楔の斜視図
【図４】請求項２に示す楔の６面図
【図５】請求項２に示す楔のテーパー面の形状のバリエーションを示す断面図
【図６】請求項１に示す楔構造を複数持つ楔ベースの実施の形態３の正面図
【発明を実施するための形態】
【００１３】
図１は、本発明の実施の形態１である棚の一部の斜視図で、楔スペース２-ＫＳが３つある３段棚用の脚を兼ねる楔ベース２である。楔ベース２の、下の楔スペース２-ＫＳには楔１が、上の楔スペース２-ＫＳには棚板３がベース板受け面２-２にくっつく形で描かれている。
図２は、図１の右側面図で、下の楔スペース２-ＫＳには、楔１の楔後面１-６が見えている。
図２の楔ベース２には、楔スペース２-ＫＳが３つあるが、楔ベース２の楔スペース２-ＫＳの数は、１つでも２つでも、さらに多くあってもよい。
【００１４】
図３、図４は、実施の形態２で、請求項２に示す楔を示す。
楔１の楔テーパー面１-１の反対側の作用面１-２は、Ｍ方向と平行で棚板３の下面と平行な平面で、テーパー面１-１と作用面１-２を結ぶ楔正面１-３と楔背面１-４の２側面は互いに平行となっている。
断面の、テーパー面１-１の形状は、楔前面１-５と楔後面１-６にも表れており、作用面１-２の形状に対して、楔正面１-３の長さＸが楔背面１-４の長さＹより短い斜面になっており、その傾斜はテーパー面１-１全体で同一傾斜同一形状となっている。
楔正面１-３の長さＸと楔背面１-４の長さＹさの差は、楔の２側面の距離の２／１０〜７／１０程度が好ましい。
【００１５】
楔１の楔テーパー面１-１の断面形状は、楔テーパー面１-１のどの位置の断面でも同一形状で、作用面１-２の形状に対して凹凸になっていれば、平面でも、曲面でも、階段状でもよい。
楔テーパー面１-１とベーステーパー面２-１の凹凸が、噛み合うことで、楔スペース２-ＫＳに楔１がしっかり納まり、確実な固定ができる。
特に、楔テーパー面１-１の断面形状において、楔正面１-３の長さＸが楔背面１-４の長さＹより短い場合は、楔１が、楔ベース２の楔スペース２-ＫＳの開放側（ベース凸面２-３側／Dの方向の逆側）に倒れ難くなり好ましい。
【００１６】
図５は、楔のテーパー部分の断面形状で、イは直線山形に、ロは曲線山形に、ハは階段状に中央が膨らんでいる。
ニホヘは、楔正面１-３の長さＸが楔背面１-４の長さＹより短かい。ニは楔テーパー面１-１の断面形状の逆Ｄ方向の角度がＴになっている斜面、ホは傾いた曲線状で膨らみ、ヘは階段状になっている。
【００１７】
図６は、実施の形態３で、壁面から飛び出させる片側支持の棚である。楔スペース２-ＫＳが横に長い棚板スペース２-ＴＳの下に、横に３つ並んだもので、横長の棚板３を１枚固定することができる。この図では、棚板３は説明しやすくするため、左端の楔スペース２-ＫＳの上の部分だけの長さにした。
左の楔スペース２-ＫＳには、楔１が嵌め込まれ、スペース狭部２-８の方にあり、棚板３を固定している。中央の楔スペース２-ＫＳには、楔１がスペース広部２-７に置かれている。
楔１で、棚板３を固定するため、棚板３が乾燥などで厚みが減っても、楔１を押し込むことで再び棚板３をしっかりと固定することができる。
【符号の説明】
【００１８】
１    楔
１-１    楔テーパー面
１-２    作用面
１-３    楔正面
１-４    楔背面
１-５    楔前面
１-６    楔後面
１-７    楔太部
１-８    楔細部
２    楔ベース
２-１    ベーステーパー面
２-２    ベース板受け面
２-３    ベース凸面
２-４    ベース凹面
２-７    スペース広部
２-８    スペース狭部
２-ＫＳ    楔スペース
２-ＴＳ    棚板スペース
３    棚板
【００１９】
Ｐ    楔の作用方向
Ｍ    楔を押し込む方向
Ｌ    楔の断面の長さ方向
Ｓ    テーパー角
Ｔ    テーパー面の楔の正面から楔の背面に至る傾斜角
Ｘ    断面における楔正面１-３の長さ
Ｙ    断面における楔背面１-４の長さ
【図１】
2019146714.tif 000003
【図２】
2019146714.tif 000004
【図３】
2019146714.tif 000005
【図４】
2019146714.tif 000006
【図５】
2019146714.tif 000007
【図６】
2019146714.tif 000008